(57)【特許請求の範囲】
【請求項１】
手摺り棒と、前記手摺り棒を被設置部に取り付けるためのブラケット本体と、前記ブラケット本体を被覆するブラケットカバーとを備えた手摺りにおいて、
前記ブラケットカバーは、端壁と、前記端壁から延び出す一対の側壁と、前記一対の側壁における前記端壁と反対側の端部の間に形成された前端開口部とを備え、
前記ブラケット本体は、前記一対の側壁の内側に沿って配置される両側の側部を備え、
前記ブラケットカバーは、前記ブラケット本体を前記前端開口部から前記一対の側壁の間に導入して、前記一対の側壁で前記両側側部を挟持した状態で、前記ブラケット本体に対してスライドすることにより、前記ブラケット本体に装着されるようになっており、
前記ブラケットカバーは、前記一対の側壁の各々に係合爪を備え、
前記ブラケット本体の両側の側部の各々は、前記ブラケットカバーが前記ブラケット本体に装着されたときに前記係合爪が嵌合する固定用係合凹部と、前記ブラケットカバーのスライド方向と平行に延びて前記固定用係止凹部に達する溝部を備え、
前記ブラケットカバーが装着時に前記ブラケット本体に対してスライドするときに、前記係合爪が前記溝部をスライドするようになっており、
前記ブラケット本体は、被設置部に固定される背面と、前記背面と反対側に設けられ前記手摺り棒が固定される支持面を備え、
前記ブラケットカバーは、前記ブラケット本体の背面側に配置される背面開口部と、前記ブラケット本体の支持面側に配置される正面開口部を備え、
前記係合爪は、前記側壁の前記背面開口部側の端部と前記正面開口部側の端部の各々に設けられ、
前記溝部は、前記ブラケット本体の背面側の端縁と支持面側の端縁に沿って延びており、
前記固定用係合凹部は、前記ブラケット本体の背面側の溝部と支持面側の溝部の各々に設けられている手摺り。
【請求項２】
請求項１に記載の手摺りにおいて、
前記ブラケット本体の前記側部に、前記ブラケット本体を前記被設置部に固定するための固定構造を備え、
前記ブラケットカバーは、前記ブラケット本体への装着途中の位置で、且つ前記固定構造を露出させた状態で、前記一対の側壁が前記ブラケット本体の両側側部を挟持するようになっている手摺り。
【請求項３】
請求項１又は２に記載の手摺りにおいて、
前記ブラケット本体の側部は、前記溝部上に設けられた保持用係合凹部を備え、
前記ブラケットカバーの前記ブラケット本体に対する装着途中の所定位置において前記係合爪が前記保持用係合凹部に嵌合し得るようになっている手摺り。
【請求項４】
手摺り棒と、前記手摺り棒を被設置部に取り付けるためのブラケット本体と、前記ブラケット本体を被覆するブラケットカバーとを備えた手摺りにおいて、
前記ブラケットカバーは、端壁と、前記端壁から延び出す一対の側壁と、前記一対の側壁における前記端壁と反対側の端部の間に形成された前端開口部とを備え、
前記ブラケット本体は、前記一対の側壁の内側に沿って配置される両側の側部を備え、
前記ブラケットカバーは、前記ブラケット本体を前記前端開口部から前記一対の側壁の間に導入して、前記一対の側壁で前記両側側部を挟持した状態で、前記ブラケット本体に対してスライドすることにより、前記ブラケット本体に装着されるようになっており、
前記ブラケットカバーは、前記一対の側壁の少なくとも一方に係合爪を備え、
前記ブラケット本体の側部は、前記ブラケットカバーが前記ブラケット本体に装着されたときに前記係合爪が嵌合する固定用係合凹部と、前記ブラケットカバーのスライド方向と平行に延びて前記固定用係止凹部に達する溝部を備え、
前記ブラケットカバーが装着時に前記ブラケット本体に対してスライドするときに、前記係合爪が前記溝部をスライドするようになっており、
前記ブラケット本体は、被設置部に固定される背面と、前記背面と反対側に設けられ前記手摺り棒が固定される支持面を備え、
前記ブラケットカバーは、前記ブラケット本体の背面側に配置される背面開口部と、前記ブラケット本体の支持面側に配置される正面開口部を備え、
前記溝部は、前記ブラケット本体の背面側の端縁と支持面側の端縁の少なくとも一方に沿って延びており、
前記ブラケット本体の側部は、前記溝部上に設けられた保持用係合凹部を備え、
前記ブラケットカバーの前記ブラケット本体に対する装着途中の所定位置において前記係合爪が前記保持用係合凹部に嵌合し得るようになっている手摺り。
【発明の詳細な説明】
【技術分野】
【０００１】
本発明は、手摺りに関するものである。
【背景技術】
【０００２】
浴室等に設けられる手摺りとしては、従来から、手摺り棒を手摺り用ブラケットで被設置部（例えば浴室の壁部）に設置するものが知られている。この場合、手摺りの被設置部への取り付けのために、手摺り用ブラケットにおいて固定手段（例えばネジ）による固定がなされるが、このような固定手段の露出を防止するために、手摺り用ブラケットの本体を被覆するブラケットカバーが用いられる。
【０００３】
このような手摺り用ブラケットして、例えば、特開平９−２９６５７９（特許文献１）には、手摺り本体を建物躯体に固定する手摺りブラケットにおいて、ブラケット本体を覆う複数のブラケットカバー部材を備えるとともに、隣接するブラケットカバー部材の端縁同士の間に隙間部を形成することにより、ブラケットカバー部材の端縁に寸法誤差がある場合でも、良好な外観が得られるようにした発明が開示されている。また、本出願人による特開２０００−１１０３２０（特許文献２）には、手摺り笠木を設置基部に固定するブラケット本体とブラケット本体を覆う複数のブラケットカバー（分割カバー）とを備えた手摺りブラケットにおいて、ブラケットカバーをブラケット本体の表面凹凸部に当接して位置決め可能とすることにより、分割カバー単体毎に寸法管理するだけで済むようにして、製造効率を向上させた発明が開示されている。
【先行技術文献】
【特許文献】
【０００４】
【特許文献１】特開平９−２９６５７９
【特許文献２】特開２０００−１１０３２０
【発明の概要】
【発明が解決しようとする課題】
【０００５】
しかしながら、このような従来の手摺り用ブラケットにおいては、複数のブラケットカバーが用いられていたため、部品点数が増加してしまうとともに、上記特許文献１及び２のように、複数のブラケットカバー同士の寸法誤差に対処するための処置が必要となっていた。また、ブラケット本体の被設置部への取り付けの際には、ブラケット本体からブラケットカバーを取り外しておく必要があるため、手摺り全体を一体に取り扱うことができず、取り付けの作業効率が低下してしまっていた。
【０００６】
本発明は、以上のような事情を勘案してなされたもので、その目的は、ブラケット本体とブラケットカバーを備えた手摺り用ブラケットにおいて、ブラケットカバーを一部材から構成でき、またブラケットカバーのブラケット本体への取り付けが容易となるとともに、手摺りの被設置部への取り付けにおける作業効率を向上させ得る手摺り用ブラケットを提供することである。
【課題を解決するための手段】
【０００７】
前記目的を達成するため、本発明にあっては、次のような解決方法を採択している。すなわち、本発明は、
手摺り棒と、前記手摺り棒を被設置部に取り付けるためのブラケット本体と、前記ブラケット本体を被覆するブラケットカバーとを備えた手摺りにおいて、
前記ブラケットカバーは、端壁と、前記端壁から延び出す一対の側壁と、前記一対の側壁における前記端壁と反対側の端部の間に形成された前端開口部とを備え、
前記ブラケット本体は、前記一対の側壁の内側に沿って配置される両側の側部を備え、
前記ブラケットカバーは、前記ブラケット本体を前記前端開口部から前記一対の側壁の間に導入して、前記一対の側壁で前記両側側部を挟持した状態で、前記ブラケット本体に対してスライドすることにより、前記ブラケット本体に装着されるようになっており、
前記ブラケットカバーは、前記一対の側壁の各々に係合爪を備え、
前記ブラケット本体の両側の側部の各々は、前記ブラケットカバーが前記ブラケット本体に装着されたときに前記係合爪が嵌合する固定用係合凹部と、前記ブラケットカバーのスライド方向と平行に延びて前記固定用係止凹部に達する溝部を備え、
前記ブラケットカバーが装着時に前記ブラケット本体に対してスライドするときに、前記係合爪が前記溝部をスライドするようになっており、
前記ブラケット本体は、被設置部に固定される背面と、前記背面と反対側に設けられ前記手摺り棒が固定される支持面を備え、
前記ブラケットカバーは、前記ブラケット本体の背面側に配置される背面開口部と、前記ブラケット本体の支持面側に配置される正面開口部を備え、
前記係合爪は、前記側壁の前記背面開口部側の端部と前記正面開口部側の端部の各々に設けられ、
前記溝部は、前記ブラケット本体の背面側の端縁と支持面側の端縁に沿って延びており、
前記固定用係合凹部は、前記ブラケット本体の背面側の溝部と支持面側の溝部の各々に設けられている。
【０００８】
上記解決手法によれば、ブラケットカバーは、両側側壁でブラケット本体の両側側部を挟持した状態でブラケット本体に対してスライドして装着されていき、両側側部に案内されながら取り付けられていくので、ブラケットカバーのブラケット本体への装着作業は、極めて容易かつスムーズに行うことができる。また、１つのブラケットカバーの両側側壁でブラケット本体の両側側部を被覆することができるので、ブラケットカバーを一部材で構成することができ、手摺り用ブラケットの構成部品点数を削減することができる。また、ブラケット本体に装着されたブラケットカバーは、係合爪と固定用係合凹部の嵌合によって堅固に固定される。したがって、ブラケット本体からのブラケットカバーの脱落や、ブラケット本体に対するブラケットカバーの位置ずれを適切に防止できる。また、係合爪が溝部に沿って案内される結果、ブラケットカバーはブラケット本体に対して適切な方向にスムーズにスライドして装着されていくので、ブラケットカバーのブラケット本体に対する適切な装着を行うことができる。
【０００９】
前記ブラケット本体の前記側部に、前記ブラケット本体を前記被設置部に固定するための固定構造を備え、前記ブラケットカバーは、前記ブラケット本体への装着途中の位置で、且つ前記固定構造を露出させた状態で、前記一対の側壁が前記ブラケット本体の両側側部を挟持するようにしてもよい。これにより、ブラケット本体の被設置部への固定作業は、ブラケットカバーがブラケット本体に装着途中の位置に保持された状態で行うことができる。したがって、手摺りの被設置部の取り付け作業の効率が向上する。
【００１２】
前記ブラケット本体の側部は、前記溝部上に設けられた保持用係合凹部を備え、前記ブラケットカバーの前記ブラケット本体に対する装着途中の所定位置において前記係合爪が前記保持用係合凹部に嵌合し得るようになっている。したがって、ブラケットカバーを保持位置に適切に保持した状態で、ブラケット本体の被設置部への取り付け作業を安定して実行できる。
また、手摺り棒と、前記手摺り棒を被設置部に取り付けるためのブラケット本体と、前記ブラケット本体を被覆するブラケットカバーとを備えた手摺りにおいて、前記ブラケットカバーは、端壁と、前記端壁から延び出す一対の側壁と、前記一対の側壁における前記端壁と反対側の端部の間に形成された前端開口部とを備え、前記ブラケット本体は、前記一対の側壁の内側に沿って配置される両側の側部を備え、前記ブラケットカバーは、前記ブラケット本体を前記前端開口部から前記一対の側壁の間に導入して、前記一対の側壁で前記両側側部を挟持した状態で、前記ブラケット本体に対してスライドすることにより、前記ブラケット本体に装着されるようになっており、前記ブラケットカバーは、前記一対の側壁の少なくとも一方に係合爪を備え、前記ブラケット本体の側部は、前記ブラケットカバーが前記ブラケット本体に装着されたときに前記係合爪が嵌合する固定用係合凹部と、前記ブラケットカバーのスライド方向と平行に延びて前記固定用係止凹部に達する溝部を備え、前記ブラケットカバーが装着時に前記ブラケット本体に対してスライドするときに、前記係合爪が前記溝部をスライドするようになっており、前記ブラケット本体は、被設置部に固定される背面と、前記背面と反対側に設けられ前記手摺り棒が固定される支持面を備え、前記ブラケットカバーは、前記ブラケット本体の背面側に配置される背面開口部と、前記ブラケット本体の支持面側に配置される正面開口部を備え、前記溝部は、前記ブラケット本体の背面側の端縁と支持面側の端縁の少なくとも一方に沿って延びており、前記ブラケット本体の側部は、前記溝部上に設けられた保持用係合凹部を備え、前記ブラケットカバーの前記ブラケット本体に対する装着途中の所定位置において前記係合爪が前記保持用係合凹部に嵌合し得るようになっている。
【発明の効果】
【００１３】
本発明によれば、手摺りにおいて、ブラケット本体へのブラケットカバーの装着作業を容易かつスムーズに行うことができ、またブラケットカバーを一部材とすることにより部品点数を削減することができる。また、ブラケットカバーをブラケット本体への装着途中の位置において保持した状態で、ブラケット本体の被設置部への取り付け作業を行うことができ、作業を効率化できる。
【図面の簡単な説明】
【００１４】
【図１】本発明の実施形態における手摺りの全体構成を示す側面図。
【図２】図１のＡ−Ａ断面図。
【図３】本発明の実施形態における手摺りのブラケット本体を示す背面図。
【図４】同じくブラケット本体を示す正面図。
【図５】同じくブラケット本体を示す平面図。
【図６】図３のＢ−Ｂ断面図。
【図７】本発明の実施形態における手摺りのブラケット本体を示す側面図。
【図８】本発明の実施形態における手摺りのブラケットカバーを示す正面図。
【図９】同じくブラケットカバーを示す背面図。
【図１０】同じくブラケットカバーを示す底面図。
【図１１】本発明の実施形態における手摺りの一部を示す側面図であって、ブラケットカバーがブラケット本体への装着される途中の状態を示す図。
【図１２】同じく手摺りの一部を示す正面図であって、ブラケットカバーがブラケット本体への装着される途中の状態を示す図。
【図１３】同じく手摺りの一部を示す背面図であって、ブラケットカバーがブラケット本体への装着される途中の状態を示す図。
【発明を実施するための形態】
【００１５】
以下、添付図面に基づいて本発明の実施形態について説明する。
【００１６】
図１には、本発明の実施形態における手摺り１の全体構成を示す。また、図２には、図１のＡ−Ａ断面図を示す。図示されるように、手摺り１は、直線状の手摺り棒２と、手摺り棒２の両側端部２Ａ付近に設けられた一対の手摺り用ブラケット３とを備えている。本実施形態では、手摺り棒２の端部２Ａをエンドキャップで塞いでいる。
【００１７】
手摺り棒２は、略楕円形の断面を有する長尺の筒状部材である。手摺り用ブラケット３は、手摺り棒２を被設置部４（例えば浴室等の壁）に取り付けるための連結部材であり、手摺り棒２と被設置部４の間に配置されている。手摺り用ブラケット３は、ブラケット本体１０と、ブラケット本体１０を被覆するブラケットカバー３０とから構成されている。なお、以下の説明において、前後方向とは、ブラケットカバー３０をブラケット本体１０に装着する際にブラケットカバー３０がスライドする方向の側を「前」とし、その反対側（換言すると、ブラケットカバー３０をブラケット本体１０から取り外す際にブラケットカバー３０がスライドする方向の側）を「後」とする。本実施形態において、ブラケットカバー３０及びブラケット本体１０が手摺り１に組み込まれた場合、手摺り棒２の長手方向（上下方向）と一致する。
【００１８】
図３から図７にも示すように、ブラケット本体１０は、手摺り棒２の形状に合わせて湾曲した支持面１１（図４参照）と、支持面１１の反対側に形成された略長方形の背面１２（図３参照）と、略台形形状の上下両側の前端面１３及び後端面１４（図５参照）と、傾斜した左右両側の側部１５（図７参照）とを備えた部材であり、前端面１３及び後端面１４を手摺り棒２の長手に平行な方向に向けて配置されている。この場合、両側のブラケット本体１０の各々は、前端面１３が手摺り１の内側を向き、後端面１４が手摺り棒２の端部２Ａ側を向くように配置される。
【００１９】
ブラケット本体１０の支持面１１及び背面１２は、それぞれ、手摺り棒２及び被設置部４に当接して固定される。これにより、手摺り棒２が、ブラケット本体１０を介して被設置部４に取り付けられるようになっている。
【００２０】
図６及び図７に示すように、ブラケット本体１０の各側部１５の左右方向の中央付近は、断面Ｌ字型に切り欠かれた段状凹部１５Ａが形成されており、支持面１１側を向いた段部１６が形成されている。各段部１６には、段部１６の正面から背面１２にかけて貫通したネジ挿通穴１７が形成されている。
【００２１】
図２によく示されるように、これらのネジ穴１７にはネジ１８が取り付けられ、これらのネジ１８によって、ブラケット本体１０が被設置部４に取り付けられる。各ネジ１８は、被設置部４を貫通して、被設置部４の裏面４Ａに配置された座金１９にまで達している。なお、座金１９は、左右両側のタッピンネジ２０によって、被設置部４の裏面４Ａに固定されている。
【００２２】
ブラケット本体１０の左右及び上下方向の略中央には、支持面１１から背面１２までブラケット本体１０を貫通する貫通穴２１が形成されている。この貫通穴２１の支持面１１と隣接する部分は、ネジ２２が装着されるネジ挿通穴２３となっている。ネジ２２は、背面１２側から取り付けられ、手摺り棒２の内側空洞部２４にまで達してナット２２Ａに螺合することにより、ブラケット本体１０と手摺り棒２を連結している。
【００２３】
図８から図１０にも示すように、ブラケットカバー３０は、略台形形状の後端壁３１と、後端壁３１の左右両側から前方に延び出す一対の両側側壁３２とからなる部材であり、ブラケットカバー３０の前端側と正面及び背面は、それぞれ前端開口部３３、正面開口部３４及び背面開口部３５となっている。本実施の形態では、ブラケットカバー３０は合成樹脂により形成され、ブラケットカバー３０の両側側壁３２は、外側に撓むことができるようになっている。
【００２４】
ブラケットカバー３０は、ブラケット本体１０を被覆する部材であり、両側側壁３２がブラケット本体１０の両側側部１５に隣接して配置され、また後端壁３１がブラケット本体１０の後端面１４に隣接して配置されるように、ブラケット本体１０に装着される。なお、ブラケットカバー３０の後端壁３１及び側壁３２の輪郭は、ブラケット本体１０の後端面１４及び側部１５の輪郭とほぼ同一の形状及び寸法を有している。これにより、ブラケット本体１０における被設置部４への固定のための固定構造（段部１６及びネジ１８）が、ブラケットカバー３０の側壁３２によって覆い隠されるようになっている。
【００２５】
ブラケットカバー３０のブラケット本体１０への装着においては、ブラケットカバー３０の前端開口部３３をブラケット本体１０の後端面１４に正対させた状態から、ブラケット本体１０が後端面１４側からブラケットカバー３０の開口部３３内に導入されるように、ブラケットカバー３０をブラケット本体１０の前端面１３側に向けて前方スライドさせていく。この場合、ブラケットカバー３０は、両側の側壁３２でブラケット本体１０を挟持した状態で、手摺り棒２と被設置部４の間を手摺り棒２の長手に平行な方向に前方スライドしながら、ブラケット本体１０に装着される。したがって、ブラケットカバー３０のブラケット本体１０への装着において、ブラケットカバー３０の両側側壁３２は、ブラケット本体１０の側部１５に沿って前方スライドしていくので、ブラケットカバー３０のブラケット本体１０への装着は、ブラケット本体１０の両側の側部１５に案内される形でなされ、極めて容易かつスムーズに行うことができる。
【００２６】
また、装着作業の途中においても、ブラケットカバー３０の両側側壁３２は、外側にわずかに撓んだ状態で、この撓みによって発生した弾性力で、ブラケット本体１０を挟み込んだ状態となっている。したがって、ブラケットカバー３０を、装着途中の任意の位置でブラケット本体１０上に保持された状態とすることができる。
【００２７】
このような構成により、ブラケットカバー３０をブラケット本体１０への装着途中の位置で保持し、被設置部４へのブラケット本体１０の固定構造の一部である段部１６（ネジ挿通穴１７）を露出させた状態で、ブラケット本体１０の被設置部４への取り付け作業を行うことができる。したがって、手摺り棒２に連結されたブラケット本体１０を被設置部４に取り付けた後に、ブラケット本体１０と被設置部４との間にブラケットカバー１０を差し入れることができず（例えば、端部２Ａが手摺り棒２よりも被設置部４に張り出ている等）、ブラケットカバー３０をブラケット本体に装着できない場合でも、手摺り棒２に連結されたブラケット本体１０に対しブラケットカバー３０を保持させておくことによって、手摺り１の被設置部４への取り付け作業をスムーズに行うことができる。さらに、手摺り１の被設置部４への取り付け後に、ネジ１８による締結が緩む等した場合でも、ブラケットカバー３０がブラケット本体１０に保持された状態で、固定構造を露出させて、ネジ１８を締め直す作業を行うこともできる。
【００２８】
図７によく示されるように、ブラケット本体１０の両側側部１５の背面１２側の端縁（ブラケット本体１０の背面１２の左右両縁（図３参照））には、それぞれ固定用係合凹部２５と保持用係合凹部２６と溝部２７が形成されている。ここで、固定用係合凹部２５は、ブラケット本体１０の前端面１３付近に設けられている一方、保持用係合凹部２６は、ブラケット本体１０の後端面１４付近に設けられている。
【００２９】
図７に示すように、溝部２７は、側部１５の背面１２側の端縁（背面１２の左右両端縁（図３参照））に沿って延びて（すなわち、装着時におけるブラケットカバー３０のスライド方向に延びて）、ブラケット本体１０の後端面１４から固定用係合凹部２５まで達しており、この溝部２７上には、保持用係合凹部２６が形成されている。すなわち、固定用係合凹部２５、保持用係合凹部２６及び溝部２７は、ブラケット本体１０への装着時におけるブラケットカバー３０のスライド方向に並んで配置されており、溝部２７は、このスライド方向と平行に延びている。
【００３０】
また、図７に示すように、両側の側部１５の支持面１１側の端縁（支持面１１の左右両側（図４参照））にも、それぞれ固定用係合凹部２８と溝部２９が設けられている。固定用係合凹部２８は、ブラケット本体１０の前端面１３付近に位置している。溝部２９は、側部１５の支持面１１側の端縁（支持面１１の左右両端縁（図４参照））に沿って延びており、ブラケット本体１０の後端面１４から固定用係合凹部２８に至っている。なお、本実施形態においては、溝部２９の中間部分に、段状凹部１５Ａの切り欠きが重なった状態となっている。
【００３１】
図８に示されるように、ブラケットカバー３０の手摺り棒２側の端縁が、正面視Ｕ字型の正面開口端縁３８となっている。また、図１０に示されるように、正面開口端縁３８のうち側壁３２の端縁に相当する部分は、手摺り棒２の形状に対応した凹湾曲形状を有している。これにより、正面開口端縁３８を手摺り棒２の外周面に沿うようにブラケットカバー３０を配置することができる。
【００３２】
図９及び図１０によく示されるように、一対の側壁３２の内面における背面開口部３５側（被設置部４側）の端部で前端開口部３３付近の位置に、それぞれ係合爪３７が形成されている。また、図８及び図１０によく示されるように、一対の側壁３２の内面における正面開口部３４側（手摺り棒２側）の端部で前端開口部３３付近の位置にも、それぞれ係合爪３９が形成されている。係合爪３７及び３９は、側壁３２の内面から内側に向けて延び出している。
【００３３】
また、図８及び図９に示されるように、一対の側壁３２の内面における背面開口部３５側（被設置部４側）の端部には、それぞれリブ３８Ａが係合爪３９と一体に内側に向けて張り出している。リブ３８Ａは、係合爪３９の後端からブラケットカバー３０のスライド方向と平行に延び出している。係合爪３９及びリブ３８Ａは、側壁３２の正面開口端縁３８から連続して形成されており、係合爪３９及びリブ３８Ａの正面は、正面開口端縁３８と同様、手摺り棒２の形状に対応した凹湾曲形状を有している（図１０参照）。
【００３４】
図１及び図２に示すように、ブラケット本体１０に対してブラケットカバー３０が完全に装着された位置（以下「被覆位置」という。）にあるとき、側壁３２が側部１５を被覆すると共に、係合爪３７及び３９は、それぞれブラケット本体１０の固定用係合凹部２５及び２８に嵌合している。これにより、ブラケットカバー３０は、ブラケット本体１０に対して後方スライドできずに被覆位置で固定される。
【００３５】
一方、図１２から図１４に示すように、ブラケットカバー３０をブラケット本体１０に装着していく途中（あるいは、被覆位置のブラケットカバー３０をブラケット本体１０に対して後方スライドさせる途中）の所定位置（以下「露出位置」という。）において、側壁３２はブラケット本体１０の側部１５の大部分を被覆しておらず、側部１５の段状凹部１５Ａが露出した状態となる。ブラケットカバー３０がブラケット本体１０に対して露出位置に位置するとき、背面開口部３５側の係合爪３７が保持用係合凹部２６に嵌合し、正面開口部３４側の係合爪３９が後端側の溝部３８に位置する。この係合爪３７と保持用係合凹部２６との嵌合により、ブラケットカバー３０がブラケット本体１０に対して脱落や位置ズレせずに露出位置に保持される。したがって、ブラケットカバー３０がブラケット本体１０に露出位置で保持された状態のままで、ブラケット本体１０の被設置部４への取り付け作業（具体的には、ネジ１８を段部１６のネジ挿通穴１７及び被設置部４へねじ込む作業）やメンテナンス作業（具体的には、緩んだネジ１８を締め直す作業）を行うことができる。
【００３６】
ブラケットカバー３０がブラケット本体１０をスライドするとき（つまり一対の側壁３２が両側側部１５をスライドするとき）、係合爪３７及び３９は、それぞれ側部１５の溝２７及び２９をスライドする。これにより、側壁３２が両側側部１５をスライドする際に、係合爪３７及び３９がそれぞれ溝２７及び２９に沿って案内されるため、ブラケットカバー３０をブラケット本体１０に対して前後方向にスライドさせて行くことができる。
【００３７】
また、一対の側壁３２が両側側部１５をスライドするとき、ブラケットカバー３０のリブ３８Ａも、側部１５の溝２９をスライドする。これにより、一対の側壁３２が両側側部１５をスライドする際に、ブラケットカバー３０のリブ３８Ａが側部１５の溝２９に沿って案内されため、ブラケットカバー３０をブラケット本体１０に対して前後方向にスライドさせていくことができる。
【００３８】
固定用係合凹部２５及び２８は、係合爪３７及び３９の全体が固定用係合凹部２５及び２８に入り込む大きさとなっている。これにより、ブラケットカバー３０がブラケット本体１０に対して被覆位置に位置するときには、係合爪３７全体の固定用係合凹部２５への嵌合及び係合爪３９全体の固定用係合凹部２８への嵌合によって、ブラケット本体１０に対して後方スライドできずに被覆位置で固定される。なお、固定用係合凹部２５への係合爪３７の嵌合及び固定用係合凹部２８への係合爪３９の嵌合は、ブラケットカバー３０の側壁３２を外側に撓ませることにより解除することができ、これによりブラケットカバー３０を露出位置へ向けて後方スライドさせることができる。
【００３９】
これに対して、保持用係合凹部２６は、係合爪３７の高さよりも浅い深さ（あるいは、係合爪３７の根元部の幅よりも狭い幅）に形成されており、係合爪３７の全体が保持用係合凹部２６内に入り込まず、係合爪３７の一部分のみが保持用係合凹部２６内に嵌合するようになっている。これにより、ブラケットカバー３０がブラケット本体３０に対して露出位置に位置するときには、係合爪３７の保持用係合凹部２６への嵌合によってブラケットカバー３０のブラケット本体１０からの脱落が防止される。一方で、係合爪３７の保持用係合凹部２６への嵌合が固定用係合凹部２５への嵌合よりも緩やかであるため、ブラケットカバー３０の後端壁３１を被覆位置に向けて押すだけで、係合爪３７は保持用係合凹部２６から容易に離脱していき、ブラケットカバー３０を被覆位置へ向けて前方スライドさせることができる。また、ブラケットカバー３０をブラケット本体１０から取り外すときにも、係合爪３７が保持用係合凹部２６に深く嵌合してしまうことはないので、取り外し作業が阻害されることはない。
【００４０】
図３に示されるように、固定用係合凹部２５の後端面１４側の側面は、傾斜面２５Ａとなっている。また、図４に示されるように、固定用係合凹部２８の後端面１４側の側面は、傾斜面２８Ａとなっている。これにより、ブラケットカバー３０の側壁３２を外側に撓ませつつ後方スライドさせると、係合爪３７及び３９が固定用係合凹部２５及び２８から容易に離脱することができる。
【００４１】
図３に示されるように、保持用係合凹部２６の（ブラケットカバー３０のスライド方向の）両側側面は、傾斜面２６Ａ及び２６Ｂとなっている。これにより、ブラケットカバー３０の装着時又は取り外し時には、係合爪３７は、傾斜面２６Ａ及び２６Ｂ上をスムーズに動いて、保持用係合凹部２６を乗り越えていくことができるようになっている。
【００４２】
係合爪３７及び３９には、後端面１４側を向いた傾斜部３７Ａ及び３９Ａが形成されている。これにより、係合爪３７及び３９がそれぞれ固定用係合凹部２５及び２８に嵌合したときには、傾斜部３７Ａ及び３９Ａが傾斜面２５Ａ及び２８Ａに当接し、係合爪３７及び３９Ａが固定用係合凹部２５及び２８内に安定的に保持されるようになっている。
【００４３】
以上、本発明の実施形態について説明したが、本発明は、上記実施形態に限定されるものではなく、特許請求の範囲に記載された範囲において適宜の変更が可能である。例えば、上記実施形態では、ブラケット本体１０に保持用係合凹部２６を設けるようにしたが、ブラケット本体１０に保持用係合凹部２６を備えずに、ブラケットカバー３０の係合爪３７（又は側壁３２の内面の前端部）がブラケット本体１０の側部１５に当接した状態で両側側壁３２が両側側部１５を挟持することにより、ブラケットカバー３０を露出位置に保持するようにしてもよい。
【００４４】
また、上記実施形態においては、ブラケットカバー３０の両側の側壁３２に係合爪３７及び３９を設け、ブラケット本体１０の両側に固定用係合凹部２５と保持用係合凹部２６を設けるようになっているが、係合爪３７及び３９、固定用係合凹部２５及び保持用係合凹部２６は、左右いずれか一方にのみ設けるようにしてもよい。また、上記実施形態では、ブラケット本体１０の両側の側部１５に背面１２側の固定用係合凹部２５と支持面１１側の固定用係合凹部２８とを２つずつ設け、ブラケットカバー３０の一対の側壁３２に背面１２側の係合爪３７と支持面１１側の係合爪３９を２つずつ設けるようにしたが、係合爪及び固定用係合凹部は、側部１５及び側壁３２に１つずつ設けるようにしてもよいし、３つ以上ずつ設けるようにしてもよい。
【００４５】
また、上記実施形態の手摺り１においては、同一形態の手摺り用ブラケット３（ブラケット本体１０及びブラケットカバー３０）を２つ設けるようにしたが、本発明はこれに限られるものではなく、例えば、本発明に係る手摺り用ブラケット（特許請求の範囲に規定された手摺り用ブラケット）と、従来形態の手摺り用ブラケットとを組み合わせて用いることも可能であり、また、手摺り用ブラケットを３つ以上設けるようにしてよい。
【００４６】
また、上記実施形態においては、直線状の手摺り棒２を用いたが、本発明はこのような形態に限られるものではなく、手摺り棒としては、例えば曲線形状の部材、板状の部材等、任意の形態の部材を用いることができる。
【００４７】
また、上記実施形態においては、ブラケットカバー３０は、手摺り棒２の長手に平行な方向にスライドしてブラケット本体１０に装着されるようになっているが、本発明はこのような形態に限られるものではなく、例えば、ブラケットカバー３０が手摺り棒２の長手に垂直な方向から装着されるような形態をとることも可能である。
【００４８】
また、上記実施形態において、手摺り１は、手摺り棒２の長手を上下方向（鉛直方向）に向けて配置されたが、本発明はこのような形態に限られるものではなく、例えば手摺り棒２の長手を水平方向に向けて配置してもよい。また、上記実施形態における説明における上下及び左右方向は、説明の便宜上のものであり、本発明を限定するものではない。
【産業上の利用可能性】
【００４９】
本発明は、浴室、トイレ、玄関、洗面所、階段等の壁面や、各種設置物の表面等に取り付けられる手摺りに利用できる。
【符号の説明】
【００５０】
１  手摺り
２  手摺り棒
３  手摺り用ブラケット
４  被設置部
１０  ブラケット本体
１１  ブラケット本体の支持面
１２  ブラケット本体の背面
１３  ブラケット本体の前端面
１４  ブラケット本体の後端面
１５  ブラケット本体の側部
１５Ａ  段状凹部
１６  段部
１７  ネジ挿通穴
１８  ネジ
１９  座金
２０  タッピンネジ
２１  貫通穴
２２  ネジ
２２Ａ  ナット
２３  ネジ挿通穴
２４  手摺り棒の内側空洞部
２５  固定用係合凹部
２６  保持用係合凹部
２７  溝部
２８  固定用係合凹部
２９  溝部
３０  ブラケットカバー
３１  ブラケットカバーの後端壁
３２  ブラケットカバーの側壁
３３  ブラケットカバーの前端開口部
３４  ブラケットカバーの正面開口部
３５  ブラケットカバーの背面開口部
３６  ブラケットカバーの下端縁
３７  係合爪
３８  端縁
３８Ａ  リブ
３９  係合爪
【図１】
0006731745.tif 000002
【図２】
0006731745.tif 000003
【図３】
0006731745.tif 000004
【図４】
0006731745.tif 000005
【図５】
0006731745.tif 000006
【図６】
0006731745.tif 000007
【図７】
0006731745.tif 000008
【図８】
0006731745.tif 000009
【図９】
0006731745.tif 000010
【図１０】
0006731745.tif 000011
【図１１】
0006731745.tif 000012
【図１２】
0006731745.tif 000013
【図１３】
0006731745.tif 000014